(57)【特許請求の範囲】
【請求項１】
複数の操作キーを含む操作手段と、
アラーム音を出力する放音手段と、
前記放音手段を駆動する駆動手段と、
前記操作手段の特定のキーが操作されたか否かを判定する入力キー判定手段と、
前記入力キー判定手段により特定のキーが操作されたと判定された場合、前記駆動手段による駆動を停止する停止手段とを備える報知停止装置であって、
前記駆動手段による駆動を開始した時点からの時間を計時する計時手段と、
前記計時手段により計時された時間が所定時間経過したか否かを判断する判断手段とを更に備え、
前記判断手段により所定時間経過したと判断された場合、前記入力キー判定手段は、前記操作手段の任意のキーが操作されたか否かを判定し、前記停止手段は、前記入力キー判定手段により任意のキーが操作されたと判定された場合、前記駆動手段による駆動を停止することを特徴とする報知停止装置。
【請求項２】
現在時刻を計時する現在時刻計時手段と、
報知時刻を設定する報知時刻設定手段と、
前記現在時刻が前記報知時刻になったか否かを比較する比較手段とを更に備え、
前記駆動手段は、前記比較手段により現在時刻が報知時刻になった場合に、駆動を開始することを特徴とする請求項１に記載の報知停止装置。
【請求項３】
装置を振動させる振動手段を更に備え、
前記駆動手段は、前記振動手段を駆動することを特徴とする請求項１または請求項２に記載の報知停止装置。
【請求項４】
操作手段の特定のキーが操作されたか否かを判定する入力キー判定機能と、
前記入力キー判定機能により特定のキーが操作されたと判定された場合、アラーム音を出力する放音手段を駆動する駆動手段による駆動を停止する停止機能と、
前記駆動手段による駆動を開始した時点からの時間を計時する計時機能と、
前記計時機能により計時された時間が所定時間経過したか否かを判断する判断機能とを備え、
前記判断機能により所定時間経過したと判断された場合、前記入力キー判定機能は、前記操作手段の任意のキーが操作されたか否かを判定し、前記停止機能は、前記入力キー判定機能により任意のキーが操作されたと判定された場合、前記駆動手段による駆動を停止するように実行させるプログラムを記録したコンピュータ読み取り可能な記録媒体。
【発明の詳細な説明】
【０００１】
【発明の属する技術分野】
本発明は、アラーム音によって使用者に報知する機能を持った装置に係り、より具体的には、報知停止のための複数の操作が可能な報知停止装置及び報知停止のためのプログラムを記録した記録媒体に関するものである。
【０００２】
【従来の技術】
従来、特開平１−１２８７００号公報に開示されているように、複数の操作ボタンを有し目覚し機能を有する機器において、時間を計数するタイマ手段と、アラーム開始時刻を記憶する記憶手段と、前記タイマ手段により計数された時間と前記記憶手段により記憶されたアラーム開始時刻の一致を検出する手段と、アラーム動作中に前記複数のボタンの中の少なくとも１つのボタンの操作を検出する手段と、アラーム動作中に前記複数のボタンの中の少なくとも１つのボタンの操作を検出して該アラーム動作を停止させる手段とを有することにより、アラームの停止動作を容易にし、機器の操作ボタンを減少することができる技術があった。
【０００３】
【発明が解決しようとする課題】
しかしながら、上記従来技術では、操作ボタンの中のいずれかが押されたことによりアラームを停止する、すなわち、どのキーが押されてもアラームを停止するため、すべてのキーがアラームを停止する機能状態となっている時はそのキーがもつ本来の状態を操作するためのキーとしては使用できない。また、たまたま本来、そのキーの持つ機能を働かすためのキー操作とアラーム時刻が一致してしまった場合、アラームが鳴ったことに気付かず、アラームを停止させてしまう可能性があるといった問題点があり、アラームにより使用者設定時刻がきたことを報知するという、本来の目的を達することができなかった。
【０００４】
そこで、本発明は、上記課題を解決するためのものであって、アラーム音によって使用者への報知が開始された時刻より一定の時間は特定のキーを操作することにより報知を終了し、前記一定時間の経過後は、装置の備える複数のキーのうち、いずれかのキーの操作によって報知を停止する、複数の操作手段を備えた報知停止装置及び報知停止のためのプログラムを記録した記録媒体を提供することを目的とする。
【０００５】
【課題を解決するための手段】
本発明の報知停止装置は、複数の操作キーを含む操作手段と、アラーム音を出力する放音手段と、前記放音手段を駆動する駆動手段と、前記操作手段の特定のキーが操作されたか否かを判定する入力キー判定手段と、前記入力キー判定手段により特定のキーが操作されたと判定された場合、前記駆動手段による駆動を停止する停止手段とを備える報知停止装置であって、前記駆動手段による駆動を開始した時点からの時間を計時する計時手段と、前記計時手段により計時された時間が所定時間経過したか否かを判断する判断手段とを更に備え、前記判断手段により所定時間経過したと判断された場合、前記入力キー判定手段は、前記操作手段の任意のキーが操作されたか否かを判定し、前記停止手段は、前記入力キー判定手段により任意のキーが操作されたと判定された場合、前記駆動手段による駆動を停止することを特徴とする。
【０００６】
また、本発明の装置停止装置は、現在時刻を計時する現在時刻計時手段と、報知時刻を設定する報知時刻設定手段と、前記現在時刻が前記報知時刻になったか否かを比較する比較手段とを更に備え、前記駆動手段は、前記比較手段により現在時刻が報知時刻になった場合に、駆動を開始する。また、装置を振動させる振動手段を更に備え、前記駆動手段は、前記振動手段を駆動するように構成してもよい。
【０００７】
本発明のコンピュータ読み取り可能な記録媒体は、操作手段の特定のキーが操作されたか否かを判定する入力キー判定機能と、前記入力キー判定機能により特定のキーが操作されたと判定された場合、アラーム音を出力する放音手段を駆動する駆動手段による駆動を停止する停止機能と、前記駆動手段による駆動を開始した時点からの時間を計時する計時機能と、前記計時機能により計時された時間が所定時間経過したか否かを判断する判断機能とを備え、前記判断機能により所定時間経過したと判断された場合、前記入力キー判定機能は、前記操作手段の任意のキーが操作されたか否かを判定し、前記停止機能は、前記入力キー判定機能により任意のキーが操作されたと判定された場合、前記駆動手段による駆動を停止するように実行させるプログラムを記録したことを特徴とする。
【０００８】
本発明によれば、使用者が報知したい時刻になったとき、その時刻になったことを報知し、その時刻より一定の時間は特定のキーを操作することにより報知を停止し、前記一定時間の経過後は、装置の備えるキーのうち、いずれかのキーの操作によって報知を停止することにより、始めに一定時間は停止キーしかきかないため、使用者が操作中の場合、意図せずアラームを停止することを防止することができる。
【０００９】
また、一定時間、時間が経過した後はどのキーを操作しても停止できるためアラームキーをキーボード上で探して、押すことを、意識することなく簡単にアラームの停止操作が容易となる。
【００１０】
【発明の実施の形態】
以下、本発明の一実施の形態の報知停止装置及び報知停止のためのプログラムを記録した記録媒体について図面を参照しながら説明する。
【００１１】
図１は、本発明における報知停止の複数の操作手段を備えた報知停止装置の外観を示す斜視図である。
【００１２】
図１において、報知停止装置は、入出力部２と、図示していない赤外線通信部、ペン保持部１−１等を有する本体キャビネット部からなり、内部には表示部と透明なタブレットを一体とした上記入出力部２、赤外線通信部、インターフェース等を制御する制御回路等の必要個所に電源を供給する電源部等を内蔵している。
【００１３】
図１の３は、蓋部であり本体キャビネット部１背面にヒンジにて接続されており入出力部２を覆うように回動し、持ち運び時に入出力部２を保護する役目を果たすと共に、表示、入力手段ともなっている。４はキーボードであり、入出力部２に表示するためのデータを入力したり、装置に記憶するためのデータを入力する文字キーと、表示データの編集等に用いられるメニューキー等の機能キーを備えている。また、４−１は停止キーであり、アラームを停止するためのキーである。
【００１４】
５はスピーカであり、アラーム音や、装置に記憶されている音声データ等を出力するものである。６は入力ペンであり、入出力部２に表示されているメニュー等を指定したり、手書文字入力を行うためのものである。
【００１５】
図２は、報知停止装置の全体構成を示すブロック図である。入出力部２には、薄型で文字を表示可能なマトリックス方式からなる液晶表示部２−１と、液晶表示部２−１を覆う大きさを有した透明タブレット２−２とからなり、該透明タブレット２−２は例えば、透明なシート２枚の内側面に透明電極を設け通常状態において各々の電極が接触しないように、小さな突起状のスペーサが規則正しく印刷されており、指或いはペンにて指示することにより透明電極が接触し、選択された位置を透明タブレット２−２にて検出することを可能としている。
【００１６】
又、液晶表示部２−１にて表示された表示内容と透明タブレット２−２の位置情報の同期を取ることにより使用者が選択した液晶表示部２−１の位置を検出することが可能である。７は、透明タブレット２−２より座標情報を取り出す為のタブレット制御部であり、透明タブレット２−２に対しては、それぞれの透明シートに設けられている透明電極に接続されており、指或いは、ペンにて指示された位置を上記両透明電極の接触により座標検出を行っている。
【００１７】
８は、液晶表示回路部であり、液晶を点灯させるドット位置をビットマップとして記憶しており、必要に応じてコモン回路９、セグメント回路１０に信号を送る。１１は、中央制御部であり、各種命令により入力情報或いは出力情報を制御するものである。１２は、水晶発振子１３からのクロック信号により時間を計時するＲＴＣであり、現在の年月日、時間を出力している。
【００１８】
１４は本体電源スイッチであり、本体電源をＯＮ／ＯＦＦするスイッチである。１５はＲＯＭであり、液晶表示部２−１に表示する文字のフォントを記憶したフォント情報エリア１５−１、上記中央制御部１１の動作を示したプログラムを記憶したプログラムエリア１５−２、文字変換の為の辞書を記憶する辞書エリア１５−３、タブレット制御部４にて検出された座標を表示位置に対応する座標への変換を行う為の変換情報を記憶した座標情報エリア１５−４を有している。
【００１９】
１６はＲＡＭであり、使用者が入出力部２より入力した文章や図形などの各種データを記憶するデータ記憶部１６−１、プログラムメディア１９を図示していないプログラム読込み手段を用いて本体にインストールしたときプログラムメディア１９のプログラムを保持するプログラム記憶部１６−２、報知時刻を記憶する報知時刻メモリ１６−３、報知時刻になりアラームを駆動してから計時する一定の時間を記憶する一定時間メモリ１６−４を有している。
【００２０】
１７はモジュラー部であり、通信回線と接続され、電子メールの送受信やインターネットとのデータの入出力を、モジュラー制御部１８を介して行うものである。
【００２１】
プログラムメディア１９は本体と分離可能に構成される情報記録媒体であり、例えばＣＤ−ＲＯＭ、フロッピーディスク、ＩＣカード等のいかなるタイプの記録媒体であってもよく、更に、インターネット等の回線から供給されるデータやプログラムの形式で記憶しておくものであってもよい。該プログラムメディア１９内には、本体に読み込まれて実行される実行形式プログラム、実行形式プログラムを構築し得るソースプログラム、中間プログラムが記録されている。
【００２２】
尚、本体キャビネット部１に予めプログラムがインストールされていない場合は、プログラムメディア１９から図示しないプログラム読み込み手段を用いて、本発明を機能させるに必要な各プログラム及びデータを読み込ませ、データはＲＡＭ１６のデータ記憶部１６−１へ、実行プログラムのプログラムコードはＲＡＭ１６のプログラム記憶部１６−２へそれぞれ格納される。
【００２３】
２０はアラーム駆動を音によって行う代わりに、装置を振動させて行うためのモータであり、アラーム駆動の指令があると、モータ駆動部２１によりモータ２０を振動させる。
【００２４】
本発明の装置および方法では、現在時刻が予め記憶している報知時刻になるとアラーム音を発し、使用者によって停止キー４−１が押されるまでアラーム音を発し続ける。アラーム音は停止キー４−１を押すことで停止されるが、アラーム音を発し始めてから、予め記憶された一定時間を越えても停止キー４−１が押されない場合には、どのキーを押してもアラーム音の停止を行うことができる。このときのアラーム音の停止は、キーボード４の全てのキーの中の１つであってもよいが、２つのキーを組み合わせる等、複数のキーにより停止するようにしてもよい。
【００２５】
また、一定時間を越えても停止キー４−１が押されない場合には、入出力部２の液晶表示部２−１にキーを表示し、透明タブレット２−２の対応する部分にタッチすることでアラーム音の停止を行うようにしてもよい。
【００２６】
尚、アラーム音の代わりに装置内のモータを振動させることで装置を振動させ、振動によって報知時刻になったことを報知してもよい。
【００２７】
また、アラーム音の代わりに入出力部２を点滅させる、また図示していない発光ダイオード等、発光素子を装置に装備し、それを点灯するなど、光によって報知してもよい。
【００２８】
また、入出力部２の液晶表示部２−１の表示を変化させることで報知時刻になったことを報知してもよい。
【００２９】
液晶表示部２−１の表示の変化として例をあげると、液晶表示部２−１全体に関して反転表示を一定の時間をおいて繰り返すことで点滅させる方法がある。
【００３０】
また、他に、液晶表示部２−１の目立つ部分に報知時刻になったことを知らせる何らかの表示を行う等の例が挙げられる。
【００３１】
次に機能ブロック図である図３を用いて上記中央制御部１１の動作とともに、報知停止動作について説明を行う。
【００３２】
現在時刻計時部１１−２ではＲＴＣ（Ｒｅａｌ  Ｔｉｍｅ  Ｃｌｏｃｋ：実時間測定装置）１２によって出力されたクロックにより時間を計時しており、現在時刻設定部１１−１で設定された時刻を基に時々刻々現在時刻を計時している。報知時刻設定部１１−３では、図示していないメニュー手段により報知時刻設定モードに切換、使用者が入力した所望する報知時刻をＲＡＭ１６の報知時刻メモリ１６−３に記憶している。
【００３３】
比較部１１−４では、ＲＡＭ１６の報知時刻メモリ１６−３に記憶している報知時刻を読み出し、この報知時刻と現在時刻計時部１１−２で計時されている現在時刻とを比較する。現在時刻と報知時刻が同じであればアラーム駆動部１１−５に信号を出力し、アラーム駆動部１１−５によりアラームを駆動する。
【００３４】
アラーム駆動部１１−５によるアラームの駆動は、スピーカ５から出力する音であっても、モータ駆動部２１で駆動されるモータ２０の振動であっても、入出力部２の点滅等、光によるものであってもよい。また、アラーム駆動部１１−５ではアラームの駆動を開始した時点でカウンタに信号を出力し、カウンタ１１−６はＲＴＣ１２からのクロック信号によりアラーム駆動開始からの時間を計時する。
【００３５】
通常、報知停止有効キー切換部１１−８では停止キー４−１を報知停止有効キーとして保持しており、入力キー判定部１１−９に信号を出力している。入力キー判定部１１−９では、キーボード４の中で報知停止有効キー切換部１１−８から出力されたキー信号と同じキーが押されたかどうかを判断する。
【００３６】
現在、報知停止有効キー切換部１１−８からは停止キー４−１のキー信号が出力されており、入力キー判定部１１−９では停止キー４−１が押されたかどうかを判断している。停止キー４−１が押された場合には、入力キー判定部１１−９からアラーム駆動部１１−５に信号を出力し、アラーム駆動部１１−５でアラームを停止する。
【００３７】
また、比較部１１−７では、カウンタ１１−６の値がＲＡＭ１６の一定時間メモリ１６−４の値とを比較することにより、アラーム駆動後一定時間経過したかどうかを判断する。アラーム駆動後一定時間経過している場合には、比較部１１−７から報知停止有効キー切換部１１−８に信号が出力され、この信号を受けて報知停止有効キー切換部１１−８では停止キー４−１から、キーボード４の中の全てのキーを報知停止有効キーとして切り換える。
【００３８】
入力キー判定部１１−８では、報知停止有効キー切換部１１−８からの信号により、特定キーでなく、キーボード４の中の任意のキーが押されたかどうかを判断する。任意のキーが押された場合には、入力キー判定部１１−９からアラーム駆動部１１−５に信号を出力し、アラーム駆動部１１−５でアラームを停止する。
【００３９】
以上の動作でアラーム駆動中に停止キーが押されたとき、あるいはアラーム駆動後一定時間経過している場合に任意のキーが押されたときに、アラームを停止することができる。
【００４０】
次に、以上の動作に関して図４のフローチャートを用いて説明を行う。まずＳＴＥＰ１でＲＡＭ１６の報知時刻メモリ１６−３に記憶している設定した報知時刻を読み出し、ＳＴＥＰ２でＲＴＣ１２からのクロック信号により現在時刻を計時する。
【００４１】
ＳＴＥＰ３ではＳＴＥＰ１で読み出した報知時刻とＳＴＥＰ２で計時している現在時刻とを比較し、ＳＴＥＰ４で現在時刻と報知時刻が同じかどうかを判断する。現在時刻と報知時刻が同じでなければＳＴＥＰ２に戻り、現在時刻と報知時刻が同じであればＳＴＥＰ５でアラームを駆動する。このときのアラームは、音によるものであっても、モータによる振動であっても、入出力部２の点滅等光によるものであってもよい。
【００４２】
ＳＴＥＰ６ではアラーム駆動開始からの時間を計時する。ＳＴＥＰ７では停止キー４−１が押されたかどうかを判断し、停止キー４−１が押された場合にはＳＴＥＰ１０に進む。停止キー４−１が押されていない場合には、ＳＴＥＰ８でＳＴＥＰ６にて計時したアラーム駆動開始からの時間がＲＡＭ１６の一定時間メモリ１６−４と同じかどうかを比較することにより、アラーム駆動後一定時間経過したかどうかを判断する。
【００４３】
アラーム駆動後一定時間経過していない場合には、ＳＴＥＰ６に戻る。アラーム駆動後一定時間経過している場合には、ＳＴＥＰ９で任意のキーが押されるまで待つ。任意のキーが押されると、ＳＴＥＰ１０に進む。
【００４４】
アラーム駆動中に停止キーが押されたとき、あるいはアラーム駆動後一定時間経過している場合に任意のキーが押されたときに、ＳＴＥＰ１０でアラームを停止し、処理を終了する。
【００４５】
その他、本発明は上記しかつ図面に示した実施の形態のみに限定されるものではなく、要旨を逸脱しない範囲内で適宜変形して実施できることは勿論である。
【００４６】
【発明の効果】
本発明によれば、報音手段を駆動後、その駆動時刻より一定の時間は特定のキーを操作することにより報音を停止し、前記一定時間の経過後は、装置の備えるキーのうち、いずれかのキーの操作によって報音を停止することにより、始めに一定時間は停止キーしかきかないため、使用者が操作中の場合、意図せず報音手段を停止することを防止することができる。
【００４７】
また、一定時間が経過した後はどのキーを操作しても停止できるため、例えばアラームキーをキーボード上で探して押すことを意識することなく、簡単に、アラーム（放音手段）の停止操作を行うことができる。
【図面の簡単な説明】
【図１】本発明の報知停止装置の外観斜視図である。
【図２】本発明の報知停止装置の全体構成を示すブロック図である。
【図３】本発明の実施の形態における報知停止装置詳細ブロック図である。
【図４】本発明の実施の形態における報知停止装置の処理を示すフローチャ―トである。
【符号の説明】
１・・・本体キャビネット部
１−１・・・ペン保持部
２・・・入出力部
３・・・蓋部
４・・・キーボード
５・・・スピーカ
６・・・入力ペン
７・・・タブレット制御部
８・・・液晶表示回路部
９・・・コモン回路
１０・・・セグメント回路
１１・・・中央制御部
１２・・・ＲＴＣ
１３・・・水晶発振子
１４・・・本体電源スイッチ
１５・・・ＲＯＭ
１６・・・ＲＡＭ
１７・・・モジュラー部
１８・・・モジュラー制御部
１９・・・プログラムメディア
２０・・・モータ
２１・・・モータ駆動部
【図１】
0004375831.tif 000002
【図２】
0004375831.tif 000003
【図３】
0004375831.tif 000004
【図４】
0004375831.tif 000005